(57)【要約】      （修正有）【課題】支柱材と横架材を連結した骨組を利用し、組立資材をコンパクトに軽量化し、運搬・組立・解体作業を簡素化し、組立時間及び解体時間を短縮する仮設建物を提供する。【解決手段】支柱材２０と横架材３０を継手金具２２で連結した骨組を利用し、壁パネル７０を固定する壁材固定金具６０を用いた建物であって、壁材固定金具６０は、継手付き高ナット６１、固定全ネジボルト６４、固定ワッシャープレート６５で構成され、継手付き高ナット６１は継手金具２２に連結され、壁パネル７０が２枚の固定全ネジワッシャープレート６５に挟み固定全ネジボルト６４で固定して継手付き高ナット６１に接続されることを特徴とし、加えて、壁材の取付け高さを調整可能にする壁材架台金具８０、及び壁材連結金具９０を用いることを特徴とする。【選択図】図１０
0003206789.tif 000002
【実用新案登録請求の範囲】
【請求項１】
支柱材２０と横架材３０を継手金具２２で連結した骨組を利用し、
壁パネル７０を固定する壁材固定金具６０を用いた建物であって、
壁材固定金具６０は、継手付き高ナット６１、固定ボルト６４、固定ワッシャープレート６５で構成され、
継手付き高ナット６１は継手金具２２に連結され、
壁パネル７０を２枚の固定ワッシャープレート６５に挟み固定ボルト６４で固定して継手付き高ナット６１に接続されることを特徴とする仮設建物１０。
【請求項２】
前記壁材固定金具６０に加え、壁材の取付け高さを調整可能にする壁材架台金具８０を用いる建物であって、
壁材架台金具８０は、ナット付クランプ８１とボルト８２と架台鉄板８３で構成され、
ナット付クランプ８１に架台鉄板８３とボルト８２を取り付けた壁材架台金具８０を横架材３０に連結し、
架台鉄板８３に壁材７０を乗せ、
架台調整ナット８４にて微調整して、壁材７０の取付け高さを調整可能にすることを特徴とする請求項１に記載の仮設建物１０。
【請求項３】
前記、壁材固定金具６０に加え、分割した壁パネルを連結する壁材連結金具９０を用いる建物であって、
壁材連結金具９０は蝶番９４に接合されたくさび受９２のついた壁パネルつかみ金具９１とくさび９３で構成され、
下部壁パネルから上部壁パネルへ建込ながら壁パネルつかみ金具９１とくさび９３で壁材を連結し固定することを特徴とする請求項１又は請求項２に記載の仮設建物１０。
【考案の詳細な説明】
【技術分野】
【０００１】  本考案は、壁材建込を省力化した仮設建物に関する。
【背景技術】
【０００２】  単管パイプを骨組材とした仮設建物の壁材を固定する方法としては、角木材の下地材を骨組材の単管パイプに番線や専用金具で固定し、該下地材に壁材を釘、ビス止めすることが通常である。又、骨組材が単管パイプ以外の仮設建物においては、壁材に支柱材と連結出来る装置を取り付けて、該壁材を支柱材に差し込み固定する構造や温室用パイプ建物においても、連結装置・金具が取り付けられた壁材を専用の連結金物にて、支柱パイプと連結する構造が主流である。
【先行技術文献】
【特許文献】
【０００３】
【特許文献１】  特開平０８−０００１０３号公報
【特許文献２】  実登３０４１６５６号公報
【考案の概要】
【考案が解決しようとする課題】
【０００４】  仮設建物は、必要とされた際に、使用目的にあった空間が確保できて、早期・短期に且つ、簡易に組立可能であることが望まれ、必要性がなくなれば、短期に解体することが要求される。施工準備にあたっては、使用する資材・部品の計画・設計・発注・加工・運搬に比較的多くの労力を要す。又、施工にあたっては、専門技能がないと、骨組建方手順を誤り、骨組建方位置が予定位置とずれて、手直しや、現場合わせの造作作業が発生し、見栄えが悪く、煩雑な建物になるケースが多くなる。又、壁工事に使用する大半の下地材は切断・穴明けなどの加工にて、廃棄処分となる。結果として、工事期間が大幅に延期し、費用も予定より大幅に支出となる。【０００５】  本考案は、このような課題に鑑みて、仮設建物の構造を視覚化し、仮設建物の建込・解体作業を簡素化し、建込・解体時間を短縮し、解体時の廃材発生量ゼロを可能にすることを目的とするものである。
【課題を解決するための手段】
【０００６】支柱材２０と横架材３０を継手金具２２で連結した骨組を利用し、壁パネル７０を固定する壁材固定金具６０を用いた建物であって、壁材固定金具６０は、継手付き高ナット６１、固定ボルト６４、固定ワッシャープレート６５で構成され、継手付き高ナット６１は継手金具２２に連結され、壁パネル７０を２枚の固定ワッシャープレート６５に挟み固定ボルト６４で固定して継手付き高ナット６１に接続されることを特徴とする仮設建物１０を提供する。【０００７】  前記壁材固定金具６０に加え、壁材の取付け高さを調整可能にする壁材架台金具８０を用いる建物であって、壁材架台金具８０は、ナット付クランプ８１とボルト８２と架台鉄板８３で構成され、ナット付クランプ８１に架台鉄板８３とボルト８２を取り付けた壁材架台金具８０を横架材３０に連結し、架台鉄板８３に壁材７０を乗せ、架台調整ナット８４にて微調整して、壁材７０の取付け高さを調整可能にすることを特徴とする仮設建物１０を提供する。【０００８】  前記、壁材固定金具６０に加え、分割した壁パネルを連結する壁材連結金具９０を用いる建物であって、
壁材連結金具９０は蝶番９４に接合されたくさび受のついた壁パネルつかみ金具９１とくさび９３で構成され、下部壁パネルから上部壁パネルへ建込ながら壁パネルつかみ金具９１で連結し、くさび９３で固定することを特徴とする仮設建物１０を提供する。
【考案の効果】
【０００９】  上述したように、本考案の仮設建物１０は壁材固定金具６０、壁材架台金具８０、壁材連結金具９０を用いることで組立・解体作業を簡素化し組立及び解体時間を短縮することができる。【００１０】  又、造作作業のない、据付・連結・固定による作業により解体時の廃材をゼロにすることができる。
【図面の簡単な説明】
【００１１】
【図１】  仮設建物の斜視図である。
【図２】  仮設建物の骨組の斜視図である。
【図３】  仮設建物の骨組の土台と支柱材と横架材の斜視図である。
【図４】  仮設建物の骨組の支柱材の詳細斜視図と部分の説明図である。
【図５】  仮設建物の骨組の横架材の詳細斜視図と部分の説明図である。
【図６】  仮設建物の骨組組立斜視図である。
【図７】  仮設建物の壁固定金具の斜視図である。
【図８】  仮設建物の壁固定金具の詳細斜視図と部分の説明図である。
【図９】  仮設建物の壁組立の角部の斜視図である
【図１０】  仮設建物の壁材固定金具、壁材架台金具、壁連結金物の斜視図である。
【図１１】  仮設建物の壁連結金具の詳細正面、側面の説明図である。
【図１２】  仮設建物の壁架台金具の斜視図と部分の説明図である。
【考案を実施するための形態】
【００１２】  本考案の実施形態を図１〜図１２に基ずいて詳細に説明する。尚以下の説明で理解を容易にするため標準的な建物の寸法を例として記載するが、本考案はこの寸法に限定するものでない。
【００１３】  図１の本考案の仮設建物１０の骨組材は図３に示すように、支柱材２０、横架材３０、連結ボルト・ナット４０、ジャッキベース５０からなる。
【００１４】  図４に示すように、支柱材２０は単管パイプ２１と継手金具２２が３ケからなる。
単管パイプ２１の長さは仮設建物の形状にあった適宜の寸法である。
継手金具２２は単管パイプ２１の外周と同じ内径の筒状の鋼管２３と中心部に連結孔２５のあいた鉄板２４が４枚からなる。鉄板２４は、鋼管２３の外周に９０°の等間隔に十文字に４枚配置されている。継手金具２３は単管パイプ２１の端部より、適宜の間隔で３箇所に配置されている。
【００１５】  図５に示すように横架材３０は、単管パイプ３１と継手金具３２からなる。
単管パイプ３１の長さは、両端に継手金具３２を取り付けた長さが適宜の寸法で、連結後の支柱材２０の建込間隔が９０ｃｍとなる寸法である。継手金具３２は、単管パイプ３１の外周にあう内径の筒状の鋼管３３と中心部に連結孔３５のあいた鉄板３４が１枚からなり、鋼管３３の中心部に配置されている。継手金具３２は、単管パイプ３１の両端に配置されている。
【００１６】  図３に示すジャッキベース５０は支柱材２０の土台であり、支柱材の高さを微調整できる金物である。
【００１７】  骨組の建込方法について説明する
図６に示すように、ジャッキベース５０を支柱材２０の建込位置に９０ｃｍ間隔に配置する。
支柱材２０をジャッキベース５０に差し込む。ジャッキベース５０のレバー５１にて微調整して支柱材２０の水平高さを合わせる。次に、支柱材２０の向かい合う同じ高さの継手金物２２の連結孔２５と横架材３０の継手金物３２の連結孔３５と合わせて連結ボルト・ナット４０にて連結し、支柱材２０と横架材３０が固定される。
図２が骨組の完成予想斜視図である。
【００１８】  壁材は図７に示すように、壁材固定金具６０、壁パネル７０からなる。
図８に示すように壁材固定金具６０は、継手付き高ナット６１、高ナット設置ボルト６２、高ナット設置ナット６３、固定ボルト６４、固定ワッシャープレート６５、固定ナット６６からなる。
継手付き高ナット６１は図８に示すように連結孔６１Ｂの開いた鉄板６１Ｃを垂直に立てて、その上に高ナット受台用鉄板６１Ｄを水平に接合し、その上に高ナット６１Ａを接合したものである。
【００１９】  次に、壁材固定方法を説明する。
図７、図８のように、支柱材２０の壁面に位置している継手金具２２の鉄板２４に、継手付き高ナット６１を、高ナット設置ボルト６２、高ナット設置ナット６３で連結する。
その際、高ナット受台用鉄板６１Ｄを鉄板２４の上面に合わせることによって、継手付き高ナット６１及び固定ボルト６４を水平に保つことができる。
次に固定ボルト６４に固定ワッシャープレート６５を１枚通して、継手付き高ナット６１の高ナットネジ孔６１ＡＢに差し込み固定する。
次に左右２枚の壁パネル左７０Ｌと壁パネル右７０Ｒを付き合わせて、固定金具６０にセットし、残り一枚の固定ワッシャープレート６５を固定ボルト６４に差し込み固定ナット６６で締付け、壁パネル左７０Ｌと壁パネル右７０Ｒを固定する。
尚壁パネル左７０Ｌと壁パネル右７０Ｒの固定金物６０と接合する箇所の壁パネル切り欠け７１は隙間が空かないように、事前に切欠け加工がされている。
以上が、一般部の壁パネル７０の固定方法であるが、仮設建物の四隅のコーナー部では、図９に示すような、コーナー部壁パネル１００を使用する。
コーナー部壁パネル１００はパネル１０１の２枚を蝶番１０２で連結されている。
パネル１０１の短辺寸法はパネル１０１どうしが垂直方向に１点で交差する適宜の寸法である。又、コーナー部壁パネル切欠け１０３はコーナー部壁パネル１００と壁材固定金具６０の接合部に隙間があかないように事前に切り欠け加工がされている。
【００２０】  次に図１０、図１２に示すように壁材架台金具８０はナット付クランプ８１、ボルト８２、架台鉄板８３、架台調整ナット８４からなる。ナット８１Ｂはクランプ８１Ａの所定の位置に接合されている。架台鉄板８３は所定の大きさのネジ孔８３Ａがあけられている。又、壁材架台金具８０は図１０に示すように壁面の最下段の横架材３０に壁パネル７０が１枚につき、壁材架台金具８０が２箇所設置される。
【００２１】  壁材架台金具８０の設置方法は、図１０、図１２に示すように壁面最下段の横架材３０にナット付クランプ８１を取付け、クランプ８１に接合されているナット８１Ｂが水平になり、ボルト８２が垂直になり架台鉄板８３が水平になるように固定する。
次に架台鉄板８３と架台調整ナット８４のついたボルト８２をナット８１Ｂに差し込む。次に架台調整ナット８４で架台鉄板８３の高さを微調整し壁パネル７０を架台鉄板８４に乗せて、壁パネルセット完了となり、前記壁建込作業に移行する。
【００２２】  壁材連結金物９０は図１１に示すように、パネルつかみ金具９１とくさび９３からなる。
尚、パネルつかみ金具９１はくさび受金具９２がついた下部壁パネルつかみ金具９１Ａと上部壁パネルつかみ金具９１Ｂを蝶番９４にて固定されている。くさび９３はくさび受金具９２に差し込み、蝶番９４で可動する下部壁パネルつかみ金具９１、上部壁パネルつかみ金具９２を固定するものである。
【００２３】  壁パネル７０は市販の寸法が９００×１８００×１２ｍｍの板材を使用するが、運搬を簡便にするため、図１０に示すように分割上段壁パネル７２と分割下段壁パネル７３の２分割に切断加工されている。但し建込時には施工性を考慮して、図１０、図１１に示すような連結金物９０にて連結して一枚の壁パネル７０として使用する。
【００２４】  壁材連結金具９０の使用方法として、分割上段壁パネル７２と分割下段壁パネル７３の連結は、壁材建込前に一枚の壁パネル７０とするために使用し、壁材パネル７０と屋根材パネル１３０の連結は建込済の壁パネル７０に下部壁パネルつかみ金具９１Ａを差し込み、次に上部壁パネルつかみ金具９１Ｂに屋根材パネル１１０を取り付けくさび９３にて固定することで連結するために使用する。
【００２５】  以上のような、壁材固定金具６０、壁材架台金具８０、壁材連結金具９０を使用した建込により、仮設建物の組立・解体作業を簡素化することができる。
【産業上の利用可能性】
【００２６】本考案の仮設建物は、組立・解体作業を簡素化し、専門技能がなくても建込を可能にして、組立時間及び解体時間を短縮することができる。又資材も軽量でコンパクトに加工しているので、積載重量１トン程度のワンボックスタイプの乗用車でも運搬可能で、その実用的効果は顕著である。【００２７】  図１に示すような形状の仮設資材倉庫はもちろんであるが、建築面積を建築許可不要の１０ｍ２以下で、４名程度収容の就寝スペースを設けた仮設宿舎にすれば、震災時の避難場所における宿泊施設として利用できる。従来のプライベートが確保できない学校体育館や、外気を遮断できず、居住性の悪い、高齢者・病弱者・赤子には不向きなテントよりは居住性の良い生活が確保できる空間を提供することができる。【００２８】  又、宿泊施設のない僻地での、公的な短期の防災業務用などの宿泊施設や、民間のキャンプ施設として提供の可能性がある。
【符号の説明】
【００２９】１０  仮設建物
２０  支柱材
３０  横架材
６０  壁材固定金具
６１  継手付き高ナット
６４  固定ボルト
６５  固定ワッシャープレート
７０  壁パネル
８０  壁材架台金具
８１  ナット付クランプ８１Ａ
８２  ボルト
８３  架台鉄板
８４  架台調整ナット
９０  壁材連結金具
９１  壁パネルつかみ金具
９３  くさび
９４  蝶番
【図１】
0003206789.tif 000003
【図２】
0003206789.tif 000004
【図３】
0003206789.tif 000005
【図４】
0003206789.tif 000006
【図５】
0003206789.tif 000007
【図６】
0003206789.tif 000008
【図７】
0003206789.tif 000009
【図８】
0003206789.tif 000010
【図９】
0003206789.tif 000011
【図１０】
0003206789.tif 000012
【図１１】
0003206789.tif 000013
【図１２】
0003206789.tif 000014